(57)【特許請求の範囲】
【請求項１】
発光モジュールと筐体とを備える照明用光源であって、
前記筐体は、
円筒形状の第一筒体と、前記第一筒体に挿入され、前記第一筒体に対して軸方向の移動が可能に配置された円筒形状の第二筒体と、
各々が、前記第一筒体の内周面および前記第二筒体の外周面のいずれか一方に配置され、前記軸方向の同一位置において、前記内周面および前記外周面の他方に当接する第一突出部、第二突出部、および第三突出部と有し、
前記第一突出部の位置、前記第二突出部の位置、および前記第三突出部の位置を結ぶ円の中心における、（ａ）前記第一突出部の位置と前記第二突出部の位置とのなす角である第一の角、および、（ｂ）前記第一突出部の位置と前記第三突出部の位置とのなす角である第二の角のそれぞれが、１２０°より大きく、かつ、１８０°未満であることで、前記第一突出部、前記第二突出部、および前記第三突出部は、前記円の周方向において等間隔には配置されていない
照明用光源。
【請求項２】
前記第一突出部は、前記第二突出部の位置と前記第三突出部の位置とを結ぶ線分の垂直２等分線上に配置されている
請求項１記載の照明用光源。
【請求項３】
前記第一突出部、前記第二突出部、および前記第三突出部のそれぞれは、前記軸方向に長尺状である
請求項１または２に記載の照明用光源。
【請求項４】
前記第一突出部、前記第二突出部、および前記第三突出部の組は、前記軸方向において離散的に複数配置されている
請求項１〜３のいずれか１項に記載の照明用光源。
【請求項５】
さらに、
前記筐体に収容された、前記発光モジュールを発光させるための駆動回路と、
前記第二筒体の前記第一筒体から露出した端部に配置された口金であって、外部から受けた電力を前記駆動回路に供給する口金と
を備える請求項１〜４のいずれか１項に記載の照明用光源。
【発明の詳細な説明】
【技術分野】
【０００１】
本発明は、発光ダイオード（ＬＥＤ：Ｌｉｇｈｔ  Ｅｍｉｔｔｉｎｇ  Ｄｉｏｄｅ）等の発光素子を有する発光モジュールを備える照明用光源に関する。
【背景技術】
【０００２】
ＬＥＤ等の半導体発光素子は、小型、高効率および長寿命であることから、様々な製品の光源として採用されている。
【０００３】
例えば、従来の電球形ランプは、ＬＥＤモジュールと、ＬＥＤモジュールを覆うグローブと、ＬＥＤモジュールに電力を供給する駆動回路と、駆動回路を囲むように設けられた筐体と、電力を受電する口金とを備える。ＬＥＤモジュールは、基板と、基板上に実装された複数のＬＥＤとを備える。
【先行技術文献】
【特許文献】
【０００４】
【特許文献１】特開２００６−３１３７１７号公報
【発明の概要】
【発明が解決しようとする課題】
【０００５】
上記の特許文献１記載の電球形ランプを含め、従来の電球形ランプは、一般に、電球形ランプの口金がねじ入れられるソケットを有する照明器具に取り付けられ、照明器具から供給される電力によって照明光を発する。そのため、ソケットから発光モジュール（例えばＬＥＤモジュール）までの距離は一定である。
【０００６】
その一方で、光源の位置を変えたいという要求があり、この要求にこたえるために、例えば、全体的な長さを変更することのできるランプも存在する。
【０００７】
しかし、このようなランプでは、長さ変更の変更後に、長さの変更のための可動部が、風等の影響によりガタつくことがあり、このガタつきが例えば異音を発生させるなどの要因となっている。
【０００８】
本発明は、上記従来の課題を考慮し、長さの調節が可能であり、かつ、構造的な安定性の高い照明用光源を提供することを目的とする。
【課題を解決するための手段】
【０００９】
上記目的を達成するために、本発明の一態様に係る照明用光源は、発光モジュールと筐体とを備える照明用光源であって、前記筐体は、円筒形状の第一筒体と、前記第一筒体に挿入され、前記第一筒体に対して軸方向の移動が可能に配置された円筒形状の第二筒体と、各々が、前記第一筒体の内周面および前記第二筒体の外周面のいずれか一方に配置され、前記軸方向の同一位置において、前記内周面および前記外周面の他方に当接する第一突出部、第二突出部、および第三突出部と有し、前記第一突出部の位置、前記第二突出部の位置、および前記第三突出部の位置を結ぶ円の中心における、（ａ）前記第一突出部の位置と前記第二突出部の位置とのなす角である第一の角、および、（ｂ）前記第一突出部の位置と前記第三突出部の位置とのなす角である第二の角のそれぞれは、１２０°以上、かつ、１８０°未満である。
【発明の効果】
【００１０】
本発明によれば、長さの調節が可能であり、かつ、構造的な安定性の高い照明用光源を提供することができる。
【図面の簡単な説明】
【００１１】
【図１】実施の形態に係る電球形ランプの外観を示す斜視図
【図２】実施の形態に係る電球形ランプの分解斜視図
【図３】実施の形態に係る電球形ランプが取り付けられた照明器具の断面概要を示す図
【図４Ａ】実施の形態に係る第一筒体の下面図
【図４Ｂ】実施の形態に係る第二筒体の下面図
【図５】実施の形態に係る第一筒体に設けられた突出部および抜け止め部の外観を示す斜視図
【図６】実施の形態に係る筐体の下面図
【図７】第一筒体と第二筒体とが組み合わされた状態における筐体の断面図
【図８】実施の形態の変形例１に係る筐体の断面図
【図９】実施の形態の変形例２に係る筐体の断面図
【図１０】実施の形態の変形例３に係る突出部の断面形状を示す図
【図１１】実施の形態の変形例４における３つの突出部の組の配置位置の例を示す斜視図
【発明を実施するための形態】
【００１２】
以下、本発明の実施の形態に係る電球形ランプについて、図面を参照しながら説明する。なお、各図は、模式図であり、必ずしも厳密に図示したものではない。
【００１３】
また、以下で説明する実施の形態およびその変形例は、いずれも本発明の一具体例を示すものである。以下の実施の形態およびその変形例で示される数値、形状、材料、構成要素、構成要素の配置位置および接続形態などは一例であり、本発明を限定する主旨ではない。また、以下の実施の形態およびその変形例における構成要素のうち、最上位概念を示す独立請求項に記載されていない構成要素については、任意の構成要素として説明される。
【００１４】
以下の実施の形態およびその変形例では、照明用光源の一例として、電球形ランプ（ＬＥＤ電球）について説明する。
【００１５】
［電球形ランプの全体構成］
まず、本実施の形態に係る電球形ランプ１の全体構成について、図１〜図３を用いて説明する。
【００１６】
図１は、実施の形態に係る電球形ランプ１の外観を示す斜視図である。
【００１７】
図２は、実施の形態に係る電球形ランプ１の分解斜視図である。
【００１８】
図３は、実施の形態に係る電球形ランプ１が取り付けられた照明器具の断面概要を示す図である。
【００１９】
なお、図２において、紙面上下方向に沿って描かれた一点鎖線は電球形ランプ１のランプ軸Ｊ（中心軸）を示している。ランプ軸Ｊとは、電球形ランプ１を照明器具のソケットに取り付ける際の回転中心となる軸であり、本実施の形態では口金９０の回転軸と一致している。
【００２０】
また、図２では、駆動回路４０が備える電子部品および駆動回路４０に接続されたリード線等の要素の図示は省略されている。
【００２１】
また、図３では、照明器具の構造の概要が分かり易いように、照明器具は断面で図示されており、かつ、電球形ランプ１は側面で図示されている。
【００２２】
図１〜図３に示すように、本実施の形態に係る電球形ランプ１は、発光モジュール１０と筐体５０とを備える。
【００２３】
発光モジュール１０は、本実施の形態において筐体５０に収容された駆動回路４０から供給される電力によって発光する装置であり、基板１１と、基板１１に実装された複数の発光素子１２とを備える。基板１１は、本実施の形態では平面視において略円形の板状基板であり、第一筒体６０の開口部に配置されている。
【００２４】
基板１１の種類としては、金属ベース基板、または、アルミナ等からなるセラミックス基板等が例示される。
【００２５】
本実施の形態では、基板１１の片面上に複数個（本実施の形態では１８個）の発光素子１２が実装されている。
【００２６】
本実施の形態では、発光素子１２として、表面実装（ＳＭＤ：Ｓｕｒｆａｃｅ  Ｍｏｕｎｔ  Ｄｅｖｉｃｅ）型ＬＥＤ素子が採用されている。
【００２７】
ＳＭＤ型ＬＥＤ素子である発光素子１２は、図２に示すように、容器１２ａと、容器１２ａ内に実装されたＬＥＤチップ１２ｂと、ＬＥＤチップ１２ｂからの光の波長を変換する波長変換材を含む封止部材１２ｃとを有する。
【００２８】
本実施の形態では、ＬＥＤチップ１２ｂとして、例えば青色光を発する青色ＬＥＤチップが採用される。青色ＬＥＤチップとしては、例えばＩｎＧａＮ系の材料によって構成された、中心波長が４４０ｎｍ〜４７０ｎｍの窒化ガリウム系の半導体発光素子が採用される。この場合、白色光を得るために、例えばイットリウム・アルミニウム・ガーネット（ＹＡＧ）系の黄色蛍光体粒子が波長変換材として採用される。
【００２９】
駆動回路４０は、図示しない一対のリード線によって接続された口金９０から交流電力を受け取って直流電力に変換し、変換後の直流電力を図示しない一対のリード線を介して発光モジュール１０に供給する。駆動回路４０は、回路基板と、当該回路基板に実装された複数の電子部品（図示せず）とを有している。
【００３０】
駆動回路４０は、本実施の形態では、第二筒体７０内に収容されており、ねじ止め、接着、または係合などにより第二筒体７０に固定されている。なお、本実施の形態では、駆動回路４０は、回路基板の主面がランプ軸Ｊと平行する姿勢で配置されているが、駆動回路４０が配置される姿勢に特に限定はない。
【００３１】
また、駆動回路４０は、交流電力を直流電力に変換する機能を持たなくてもよい。例えば照明器具から電球形ランプ１に直接直流電力が供給される場合、駆動回路４０は、口金９０から供給される直流電力を、発光モジュール１０に適した特性の直流電力に調整するための回路を有すればよい。
【００３２】
また、電球形ランプ１に、口金９０を介して発光モジュール１０に適した特性の直流電力が供給される場合、電球形ランプ１は、駆動回路４０を備えなくてもよい。この場合、口金９０と発光モジュール１０とが一対のリード線によって接続される。
【００３３】
本実施の形態における筐体５０は、円筒形状の第一筒体６０と、第一筒体６０に挿入され、第一筒体６０に対して軸方向の移動が可能に配置された円筒形状の第二筒体７０とを有する。第一筒体６０および第二筒体７０の素材は、例えば、ポリブチレンテレフタレート（ＰＢＴ）等の絶縁性樹脂である。
【００３４】
なお、本実施の形態において、ともに円筒形状である第一筒体６０および第二筒体７０それぞれの軸方向は一致し、いずれもＺ軸に平行な方向である。そのため、第一筒体６０および第二筒体７０の組み合わせによって構成される筐体５０の軸方向もＺ軸に平行な方向である。
【００３５】
筐体５０は、特徴的な要素として、少なくとも３つの突出部を有している。具体的には、筐体５０は、各々が、第一筒体６０の内周面６０ａおよび第二筒体７０の外周面７０ａのいずれか一方に配置され、軸方向の同一位置において、内周面６０ａおよび外周面７０ａの他方に当接する第一突出部、第二突出部、および第三突出部を備える。
【００３６】
本実施の形態では、筐体５０は、第一筒体６０の内周面６０ａに配置された第一突出部６１ａ、第二突出部６１ｂ、および第三突出部６１ｃを有する。
【００３７】
本実施の形態における電球形ランプ１では、筐体５０がこれら突出部を有することで、第一筒体６０の第二筒体７０に対するガタつきを抑制することができる。
【００３８】
なお、第二筒体７０の外周面７０ａには、図２に示すように２つのフランジ７８が設けられている。これらフランジ７８は、第二筒体７０の第一筒体６０からの抜け出し防止、および、第二筒体７０の第一筒体６０に対する回り止めとしての機能を有している。筐体５０の詳細については、図４Ａ〜図７を用いて後述する。
【００３９】
また、上記のように筐体５０は軸方向に伸縮し、また、第一筒体６０が第二筒体７０に対して軸回りに回動可能である。そのため、第二筒体７０に固定されている駆動回路４０と、発光モジュール１０とは、これら伸縮または回動の動作によって電気的な接続が断たれないように、例えば十分な長さのリード線で接続されている。
【００４０】
また、本実施の形態では、例えば図２に示すように、第一筒体６０の、発光モジュール１０が配置された側の端部に、内面に反射板を有するカバー８０が取り付けられている。カバー８０の、発光モジュール１０とは反対側の開口には、光透過性を有する光学部材８１が配置されている。
【００４１】
光学部材８１は、例えば、発光モジュール１０から放出される光を拡散させて透過させる部材である。光学部材８１が有する光拡散機能は、例えば、光学部材８１を形成する樹脂に含まれるシリカまたは炭酸カルシウム等の光拡散材によって実現される。また、光学部材８１を形成する樹脂またはガラスの内面または外面に、細かな凹凸を形成することで光拡散機能を実現してもよい。
【００４２】
なお、光学部材８１が光拡散機能を持つことは必須ではなく、光学部材８１は、外部から発光モジュール１０を視認することができる程度の透明性を有していてもよい。
【００４３】
口金９０は、外部から受けた電力を駆動回路４０に供給する。口金９０には、例えばＡＣ１００Ｖの商用電源から交流電力が供給される。
【００４４】
口金９０は、金属製の有底筒体形状ある。本実施の形態では、口金９０は、第二筒体７０の第一筒体６０から露出した端部に配置されている。例えば、第二筒体７０の当該端部に、外周面にネジ山が形成された取付部（図示せず）が設けられており、口金９０の内部に、この取付部がネジ入れられることで、第二筒体７０に口金９０が取り付けられる。
【００４５】
口金９０の種類は、特に限定されるものではないが、本実施の形態では、ねじ込み型のエジソンタイプ（Ｅ型）の口金を用いている。口金９０として、例えば、Ｅ２６形またはＥ１７形、あるいはＥ１６形等の口金が採用される。
【００４６】
上記構成を有する電球形ランプ１は、図３に示すように、例えば建物の天井２００に埋設される、埋込型の照明器具３に取り付けられる。つまり、天井側から下方（廊下または壁等）に照明光を放出するダウンライトとして、電球形ランプ１を用いることができる。
【００４７】
照明器具３は、電球形ランプ１を収容する空間を形成する本体部５と、電源に接続されたソケット４とを備える。ソケット４は、電球形ランプ１の口金９０がねじ入れられることで、口金９０と電気的および機械的に接続し、口金９０に、例えば商用電源からの交流電力を供給する。
【００４８】
ここで、ソケット４は、Ｅ２６形またはＥ１７形等のエジソンタイプ（Ｅ型）の口金を取り付け可能なソケットであり、照明器具３には、一般的な電球形ランプ等の電球形ランプが取り付け可能である。
【００４９】
つまり、本実施の形態に係る電球形ランプ１は、一般的な電球形ランプが取り付け可能な一般的な照明器具を利用して、照明光を提供することができる装置である。
【００５０】
また、図３に示す照明器具３を含め、一般に、照明器具は、電球形ランプを覆うカバー部材の深さ（例えば、図３における本体部５のＺ軸方向の幅）は様々である。従って、電球形ランプを照明器具に取り付けた場合、電球形ランプの先端（グローブの頂点）の位置が、例えばカバー部材に対してどの位置にあるかは、照明器具の種類によって異なる。
【００５１】
しかし、本実施の形態に係る電球形ランプ１は、伸縮可能な筐体５０を有し、かつ、ガタつき等が抑制された安定的な状態を維持することが可能である。
【００５２】
従って、例えば図３に示すように、電球形ランプ１の光照射面（光学部材８１の外面）を、天井２００に近づくように、筐体５０の長さを調節することも可能である。
【００５３】
以下、上記特徴を有する筐体５０の詳細について、図４Ａ〜図７を用いて説明する。
【００５４】
［筐体の詳細］
図４Ａは、実施の形態に係る第一筒体６０の下面図であり、図４Ｂは、実施の形態に係る第二筒体７０の下面図である。具体的には、図４Ａおよび図４Ｂは、図２における下方（Ｚ軸負側、以下同じ）から見た場合の、第一筒体６０および第二筒体７０の外観を示している。
【００５５】
図５は、実施の形態に係る第一筒体６０に設けられた突出部および抜け止め部６４の外観を示す斜視図である。具体的には、図５では、第一筒体６０を軸方向に沿って約半分に切断した状態を図示している。なお、図５では、第一筒体６０の約半分を図示している都合上、第一突出部６１ａが図示されていないが、本実施の形態では、第一突出部６１ａの形状およびサイズは、第二突出部６１ｂおよび第三突出部６１ｃと同じである。
【００５６】
図６は、実施の形態に係る筐体５０の下面図である。具体的には、図６は、図２における下方から見た場合の、第一筒体６０と第二筒体７０とを組み合わせた状態における筐体５０の外観を示している。
【００５７】
図７は、第一筒体６０と第二筒体７０とが組み合わされた状態における筐体５０の断面図である。具体的には、図７では、筐体５０の、軸方向において突出部（６１ａ〜６１ｃ）が存在する位置の、軸方向に直交する断面を図示している。
【００５８】
本実施の形態では、内径がＤ１である第一筒体６０の、抜け止め部６４が配置されていない側の開口（図２における下方の開口）から、外径がＤ２（Ｄ２＜Ｄ１）である第二筒体７０が挿入される。第一筒体６０に挿入された第二筒体７０は、外周面７０ａに設けられたフランジ７８が抜け止め部６４に当接することで、第一筒体６０からの抜け出しが防止される。
【００５９】
本実施の形態では、第二筒体７０が第一筒体６０に挿入された場合、第二筒体７０は第一筒体６０に備えられた３以上の突出部が当接する。これにより第一筒体６０と第二筒体７０との径方向の相対的な動きが規制される。なお、抜け止め部６４の内周面６０ａからの高さ（径方向の長さ）は、突出部（６１ａ〜６１ｃ）の内周面６０ａからの高さよりも短いため、第二筒体７０の径方向の動きの規制には実質的には関与しない。
【００６０】
本実施の形態では、図４Ａに示されるように、第一筒体６０の内周面６０ａには、第一突出部６１ａ、第二突出部６１ｂ、および第三突出部６１ｃが配置されている。
【００６１】
なお、これら突出部（６１ａ〜６１ｃ）は、例えば第一筒体６０に一体の要素として形成されるが、突出部（６１ａ〜６１ｃ）のそれぞれは別部品として作製され第一筒体６０の内周面６０ａに取り付けられてもよい。
【００６２】
本実施の形態では、第一突出部６１ａ、第二突出部６１ｂ、および第三突出部６１ｃのそれぞれが、図６に示すように、第二筒体７０の外周面７０ａに当接する。
【００６３】
つまり、第二筒体７０の外径Ｄ２（フランジ７８を除く部分の外径）は、第一突出部６１ａ、第二突出部６１ｂ、および第三突出部６１ｃそれぞれの頂点を通る円の直径と略等しくなるように設計されている。
【００６４】
具体的には、第一筒体６０および第二筒体７０の素材がＰＢＴであり、突出部（６１ａ〜６１ｃ）の頂点を通る円の直径が３０ｍｍである場合、第二筒体７０の外径Ｄ２は、設計上は例えば２９．８ｍｍ〜３０ｍｍである。つまり、作製上の公差を考慮した場合に、第二筒体７０と第一筒体６０とが互いに摺動可能であり、かつ、第二筒体７０の第一筒体６０への挿入が困難とならないように、第一筒体６０および第二筒体７０が設計される。
【００６５】
例えば、第二筒体７０を第一筒体６０に挿入した場合、３つの突出部（６１ａ〜６１ｃ）のそれぞれは、弾性変形または塑性変形等することで、第二筒体７０および第一筒体６０の軸方向の相対的な移動を許容し、かつ、径方向の相対的な移動を規制する。このような動作が可能となることを考慮して、第一筒体６０および第二筒体７０の各種のサイズが決定される。
【００６６】
これにより、筐体５０の軸方向の長さの調節を可能とし、かつ、第一筒体６０の、第二筒体７０に対する位置の安定化（ガタつきの抑制）を実現している。
【００６７】
なお、筐体５０が備える、調節後の長さを固定するための固定手段に特に限定はない。例えば、図示しないピンが、第一筒体６０の一部と第二筒体７０の一部とを径方向に貫通することで、筐体５０の長さを固定してもよい。また、複数の段階で位置の固定が可能なラッチ構造（図示せず）によって、第一筒体６０および第二筒体７０の軸方向の相対位置を複数段階で調節可能としてもよい。さらに、筐体５０が、ピン等の明確な固定手段を有さず、３つの突出部による固定力に依存して、筐体５０の調節後の長さが維持されてもよい。
【００６８】
ここで、本実施の形態では、上述のガタつきの抑制の効果を向上させるために、第一突出部６１ａの位置Ｐ１、第二突出部６１ｂの位置Ｐ２、および第三突出部６１ｃの位置Ｐ３は、以下の条件を満たしている。
【００６９】
すなわち、Ｐ１、Ｐ２、およびＰ３を結ぶ円（本実施の形態では、内周面６０ａによって形成される円）の中心Ｐ０における、（ａ）第一突出部６１ａの位置Ｐ１と第二突出部６１ｂの位置Ｐ２とのなす角である第一の角θ１、および、（ｂ）第一突出部６１ａの位置Ｐ１と第三突出部６１ｃの位置Ｐ３とのなす角である第二の角θ２のそれぞれは、１２０°以上、かつ、１８０°未満である。
【００７０】
より具体的には、Ｐ１、Ｐ２、およびＰ３は、円周上に均等に１２０°の間隔をあけて配置されておらず、第一突出部６１ａの位置Ｐ１を基準とした場合、第二突出部６１ｂおよび第三突出部６１ｃのそれぞれは、均等な位置よりも遠い位置に配置される。
【００７１】
これにより、３点で径方向において相互に押し合う第一筒体６０および第二筒体７０の、径方向の相対的な位置の安定性が向上する。
【００７２】
例えば、図７において、第二筒体７０についてのＹ軸方向の力の釣り合いは以下のように説明される。
【００７３】
すなわち、第二筒体７０は、Ｙ軸正の方向の力Ｆ１を、第一突出部６１ａから受ける。また、第二筒体７０は、Ｙ軸に対して傾いた向きの力Ｆ２およびＦ３を、第二突出部６１ｂおよび第三突出部６１ｃから受ける。
【００７４】
この場合、Ｆ１は、Ｆ２のＹ軸方向の成分Ｆ２´、および、Ｆ３のＹ軸方向の成分Ｆ３´の合力と釣り合う。
【００７５】
ここで、Ｆ２´＝ｃｏｓθａであり、θａが０°に近づくほど、つまり、第一の角θ１（図４Ａ参照）が１８０°に近づくほど、Ｆ２´は大きくなる。
【００７６】
また、Ｆ３´＝ｃｏｓθｂであり、θｂが０°に近づくほど、つまり、第二の角θ２（図４Ａ参照）が１８０°に近づくほど、Ｆ３´は大きくなる。
【００７７】
従って、第一の角θ１が１８０°に近づくほど、または、第二の角θ２が１８０°に近づくほど、Ｆ２´およびＦ３´の合力は大きくなり、これにより、Ｆ１も大きくなる。
【００７８】
すなわち、簡単にいうと、第一の角θ１および第二の角θ２の少なくとも一方が１８０°に近づくほど、第一筒体６０および第二筒体７０の相互間のＹ軸方向の固定力が向上する。
【００７９】
その結果、第一筒体６０および第二筒体７０の径方向の相対的な移動に対する抑制効果は向上する。
【００８０】
なお、θａおよびθｂがともに９０°未満である場合、つまり、第一の角θ１および第二の角θ２がともに９０°より大きい場合、Ｆ２´およびＦ３´はともに０より大きくなる。つまり、第二筒体７０の第一筒体６０に対する径方向の相対的な移動の規制は可能である。
【００８１】
しかしながら、例えば、周方向に隣り合う２つの突出部の間（図４ＡにおけるＰ１とＰ２との間、Ｐ２とＰ３との間、Ｐ１とＰ３との間）の方向への第二筒体７０のガタつきの可能性を考慮すると、３つの突出部（６１ａ〜６１ｃ）の位置の均等性が必要となる。つまり、図４Ａにおける第一の角θ１および第二の角θ２が９０°より大きく１２０°未満である場合よりも、θ１およびθ２が１２０°である方が好ましい。
【００８２】
さらに、上述のように、第一の角θ１および第二の角θ２のそれぞれが１８０°に近づくほど、上述のように、Ｙ軸方向（第一突出部６１ａの位置Ｐ１と中心Ｐ０とを結ぶ方向）における第一筒体６０および第二筒体７０の相互間の固定力が向上する。
【００８３】
また、第一の角θ１および第二の角θ２の双方が１８０°となる場合、つまり、第二突出部６１ｂと第三突出部６１ｃとが重なり、第二筒体７０がＹ軸方向に並ぶ２点で支持される場合、第一筒体６０と第二筒体７０との相互間におけるＸ軸方向の安定性が低下する。
【００８４】
従って、本実施の形態の電球形ランプ１では、第一の角θ１および第二の角θ２のそれぞれの値として、１２０°以上、かつ、１８０°未満の値を採用している。
【００８５】
これにより、第一筒体６０および第二筒体７０の相互間の固定力を向上させ、その結果、第一筒体６０の第二筒体７０に対するガタつきが抑制される。その結果、例えば風等によって第一筒体６０がガタつくことで生じる異音の発生が抑制される。
【００８６】
また、例えば、第一筒体６０のガタつきを抑制するために、第一筒体６０に３つの突出部（６１ａ〜６１ｃ）を設けず、第一筒体６０の内径と第二筒体７０の外径とが略一致するように第一筒体６０および第二筒体７０を作成した場合を想定する。この場合、第一筒体６０の内周面と第二筒体７０の外周面との摩擦力が過剰に大きくなり、筐体５０の伸縮が実質的に不可能または困難な状態となる。しかしながら、本実施の形態に係る電球形ランプでは、３つの突出部（６１ａ〜６１ｃ）によって第二筒体７０を径方向から支持することで、第一筒体６０の第二筒体７０に対するガタつきの抑制と筐体５０のスムーズな伸縮との両立を可能としている。
【００８７】
ここで、本実施の形態に係る筐体５０では、図４Ａに示すように、Ｐ２とＰ３との間の距離が比較的に小さくなる。これにより、第一筒体６０および第二筒体７０それぞれのサイズの公差を考慮した場合において、Ｐ２とＰ３との間の方向（Ｙ軸方向に平行またはそれに近い方向）への第一筒体６０の第二筒体７０に対する微小な移動（ガタつき）の可能性が低減される。
【００８８】
つまり、３つの突出部（６１ａ〜６１ｃ）が、円周上で均等に配置された場合と比較すると、ガタつきの方向についての自由度が低下する。
【００８９】
また、その一方で、Ｐ１とＰ２の間の距離およびＰ１とＰ３の距離が比較的に大きくなるが、上述のように、Ｐ１と中心Ｐ０を結ぶ方向（Ｙ軸方向）における固定力が比較的に大きくなる。そのため、結果として、Ｐ１とＰ２との間の方向、および、Ｐ１とＰ３との間の方向のいずれについても、第一筒体６０のガタつきは抑制される。
【００９０】
以上説明したように、本実施の形態に係る電球形ランプ１は、長さの調節が可能であり、かつ、構造的な安定性の高い電球形ランプである。
【００９１】
また、本実施の形態では、例えば図４Ａに示されるように、第一突出部６１ａは、第二突出部６１ｂの位置Ｐ２と、第三突出部６１ｃの位置Ｐ３とを結ぶ線分の垂直２等分線上に配置されている。
【００９２】
これにより、例えば、少なくとも当該垂直２等分線に平行な方向（Ｙ軸方向）において、第一筒体６０の軸と第二筒体７０の軸とのズレを抑制することができる。つまり、第一筒体６０および第二筒体７０の相互間の径方向の位置規制をよりバランスよく行うことができる。
【００９３】
また、本実施の形態では、第一突出部６１ａ、第二突出部６１ｂ、第三突出部６１ｃのそれぞれは、軸方向に長尺状である（図５参照）。
【００９４】
これにより、例えば、径方向に平行な軸を中心とする、第一筒体６０の第二筒体７０に対する微小な回動（ガタつき）の可能性が低減する。
【００９５】
また、電球形ランプ１は、筐体５０に収容された、発光モジュール１０を発光させるための駆動回路４０と、第二筒体７０の第一筒体６０から露出した端部に配置された口金９０であって、外部から受けた電力を駆動回路４０に供給する口金９０とを備える。口金９０としては、例えば一般家庭で用いられる電球形ランプと共通するＥ２６形等の一般的な口金を採用することができる。
【００９６】
そのため、例えば、一般の住宅の備えられた照明器具に、電球形ランプ１を取り付けることが可能であり、かつ、全長が調節可能であることで、例えば照明器具のサイズに応じた適切な長さに調節することができる。
【００９７】
また、実施の形態に係る筐体５０の構造は、図１〜図７によって示される構造以外であってもよい。そこで、筐体５０についての各種の変形例を、図８〜図１１を用いて説明する。
【００９８】
（変形例１）
上記実施の形態に係る筐体５０において、第一突出部６１ａは、第二突出部６１ｂの位置Ｐ２と、第三突出部６１ｃの位置Ｐ３とを結ぶ線分の垂直２等分線上に配置されているとしたが、このことは必須ではない。
【００９９】
図８は、実施の形態の変形例１に係る筐体５０の断面図である。
【０１００】
図８に示すように、第一の角θ１と第二の角θ２とが異なる場合、第一突出部６１ａは、Ｐ２とＰ３とを結ぶ線分の垂直２等分線上に存在しない。
【０１０１】
しかし、この場合であっても、第一の角θ１および第二の角θ２のそれぞれが、１２０°以上、１８０°未満であればよい。これにより、図７を用いて説明したように、第一突出部６１ａの位置Ｐ１と中心Ｐ０とを結ぶ方向（Ｙ軸方向）における第一筒体６０および第二筒体７０の相互間の固定力は比較的に大きくなる。その結果、第一筒体６０の第二筒体７０に対するガタつきは抑制される。
【０１０２】
（変形例２）
上記実施の形態では、第一筒体６０および第二筒体７０の相互に作用する３以上の突出部は第一筒体６０の内周面６０ａに配置されるとした。しかしながら、３以上の突出部は第二筒体７０の外周面７０ａに配置されてもよい。
【０１０３】
図９は、実施の形態の変形例２に係る筐体５０の断面図である。
【０１０４】
図９に示す、本変形例に係る筐体５０では、内側の第二筒体７０の外周面７０ａに、第一突出部７１ａ、第二突出部７１ｂ、および第三突出部７１ｃが配置されている。
【０１０５】
また、第一突出部７１ａの位置Ｐ１、第二突出部７１ｂの位置Ｐ２、および第三突出部６１ｃの位置Ｐ３は、以下の条件を満たしている。
【０１０６】
すなわち、Ｐ１、Ｐ２、およびＰ３を結ぶ円（本実施の形態では、外周面７０ａによって形成される円）の中心Ｐ０における、（ａ）第一突出部７１ａの位置Ｐ１と第二突出部７１ｂの位置Ｐ２とのなす角である第一の角θ１、および、（ｂ）第一突出部７１ａの位置Ｐ１と第三突出部７１ｃの位置Ｐ３とのなす角である第二の角θ２のそれぞれは、１２０°以上、かつ、１８０°未満である。
【０１０７】
従って、図７を用いて説明したように、第一突出部６１ａの位置Ｐ１と中心Ｐ０とを結ぶ方向（Ｙ軸方向）における第一筒体６０および第二筒体７０の相互間の固定力は比較的に大きくなる。その結果、第一筒体６０の第二筒体７０に対するガタつきは抑制される。
【０１０８】
なお、本変形例のように、第二筒体７０の外周面７０ａに３以上の突出部が配置される場合、これら突出部のいずれか１つが、第一筒体６０の抜け止め部６４と当接することで、第二筒体７０の第一筒体６０からの抜け出しを防止することが可能である。
【０１０９】
また、第一筒体６０の内周面６０ａに、３以上の突出部のいずれかと周方向で当接するように１以上の突起を設けることで、当該１以上の突起を、第二筒体７０の第一筒体６０に対する回り止めとして機能させてもよい。
【０１１０】
また、例えば、筐体５０が有する３つの突出部のうちの１つが、第一筒体６０および第二筒体７０の一方に配置され、残りの２つが、第一筒体６０および第二筒体７０の他方に配置されてもよい。
【０１１１】
（変形例３）
上記実施の形態では、筐体５０が有する３つの突出部（６１ａ〜６１ｃ）の軸方向に直交する断面は三角形である。しかしながら、筐体５０が有する３つの突出部（６１ａ〜６１ｃ）のそれぞれの断面形状は三角形に限定されない。
【０１１２】
図１０は、実施の形態の変形例３に係る突出部の断面形状を示す図である。なお、図１０では、３つの突出部（６１ａ〜６１ｃ）の代表として、第一突出部６１ａの断面形状の例を２つ記載しているが、他の突出部（６１ｂ、６１ｃ）も、図１０に示される断面形状を採用することができる。
【０１１３】
図１０の（ａ）に示すように、第一突出部６１ａの先端部が平面を形成していてもよい。この場合、例えば、第一突出部６１ａと第二筒体７０の外周面７０ａとの接触面積を増加させることができ、これにより、第一突出部６１ａと第二筒体７０の外周面７０ａとの摩擦力を増加させることができる。つまり、第一筒体６０および第二筒体７０の相互間の固定力を向上させることができる。
【０１１４】
図１０の（ｂ）に示すように、第一突出部６１ａの先端部が曲面を形成していてもよい。具体的には、第一突出部６１ａの断面形状が半円状であってもよい。この場合、例えば第一突出部６１ａの強度を向上させることができ、これにより、第一突出部６１ａと第二筒体７０の外周面７０ａとの接触による第一突出部６１ａの変形または破壊等を抑制することができる。その結果、第一筒体６０の第二筒体７０に対する径方向の位置の安定性をより向上させることができる。
【０１１５】
なお、これら第一突出部６１ａの断面形状の例は、図９に示す、第二筒体７０の外周面７０ａに配置された３つの突出部（７１ａ〜７１ｂ）にも適用可能である。
【０１１６】
（変形例４）
上記実施の形態では、筐体５０が有する３つの突出部（６１ａ〜６１ｃ）の組は１つであった。しかしながら、筐体５０が有する３つの突出部（６１ａ〜６１ｃ）の組は複数であってもよい。
【０１１７】
図１１は、実施の形態の変形例４における３つの突出部（６１ａ〜６１ｃ）の組の配置位置の例を示す斜視図である。
【０１１８】
なお、図１１では、３つの突出部（６１ａ〜６１ｃ）の組のそれぞれの位置を視認可能なように、第一筒体６０は点線で概念的に図示されている。また、第二筒体７０の図示は省略されている。
【０１１９】
本変形例における筐体５０において、第一突出部６１ａ、第二突出部６１ｂ、第三突出部６１ｃの組は、軸方向において離散的に複数配置されている。
【０１２０】
これにより、３つの突出部（６１ａ〜６１ｃ）が軸方向に長尺状である場合と同じく、径方向に平行な軸を中心とする、第一筒体６０の第二筒体７０に対する微小な回動（ガタつき）の可能性が低減する。
【０１２１】
さらに、第一筒体６０と第二筒体７０との接触面積を比較的に小さくすることができるため、第一筒体６０および第二筒体７０の相互間の固定力が過剰になることが抑制される。つまり、径方向に平行な軸を中心とするガタつきを抑制しつつ、筐体５０の伸縮を容易化することができる。
【０１２２】
（実施の形態の補足）
上記実施の形態において、筐体５０は、２つの筒体（第一筒体６０および第二筒体７０）を有しているとした、しかし、筐体５０は３以上の筒体を有してもよい。つまり、筐体５０は、３以上の筒体を有し、例えばテレスコピック構造によって伸縮してもよい。
【０１２３】
筐体５０は、３以上の筒体を有する場合であっても、互いに当接しあう２つの筒体が、例えば上述の３つの突出部（６１ａ〜６１ｃ）を介して互いに径方向に押し合う構造を採用すればよい。これにより、筐体５０が３以上の筒体を有する電球形ランプ１であって、長さの調節が可能であり、かつ、構造的な安定性の高い電球形ランプ１を実現することも可能である。
【０１２４】
また、上記実施の形態では、第一筒体６０に発光モジュール１０が配置され、第一筒体６０に挿入される第二筒体７０に口金９０が配置されるとした。しかし、第一筒体６０に口金９０が配置され、第一筒体６０に挿入される第二筒体７０に発光モジュール１０が配置されてもよい。
【０１２５】
つまり、軸方向に相対的に移動する第二筒体７０および第一筒体６０の一方に発光モジュール１０が配置され、他方に口金９０が配置されることで、口金９０と発光モジュール１０との間の距離の変更は可能である。
【０１２６】
また、発光モジュール１０は、筐体５０に直接的に取り付けられる必要はない。例えば、筐体５０に直接的または間接的に固定された基台または支柱等に発光モジュール１０が固定されてもよい。また、例えば、カバー８０に発光モジュール１０が固定されてもよい。
【０１２７】
また、発光モジュール１０が配置される第一筒体６０とカバー８０とは別体である必要はなく、例えば、樹脂の一体成形によって、カバー８０を一体に備える第一筒体６０が作製されてもよい。
【０１２８】
また、実施の形態における３つの突出部（６１ａ〜６１ｃ）の径方向の高さおよび形状は同一である必要はない。３つの突出部（６１ａ〜６１ｃ）の径方向の高さまたは形状は互いに異なっていてもよい。
【０１２９】
また、電球形ランプ１が備えるカバー８０および光学部材８１の形状および大きさに特に限定はなく、さらに、電球形ランプ１はカバー８０および光学部材８１を備えなくてもよい。
【０１３０】
また、第一の角θ１および第二の角θ２のそれぞれは（例えば図４Ａ参照）は、１２０°以上、かつ、１８０°未満であるとしたが、より好ましくは、第一の角θ１第二の角θ２のそれぞれは１２０°より大きく、かつ、１８０°未満である。
【０１３１】
また、第一筒体６０が第二筒体７０に対して軸回りに回動可能である必要はない。例えば、第二筒体７０の一部が、第一筒体６０の内周面６０ａに配置された３つの突出部（６１ａ〜６１ｃ）のうちのいずれかに周方向から常に当接することで、第一筒体６０の第二筒体７０に対する回動が実質的に不可能であってもよい。
【０１３２】
また、本実施の形態では、Ｐ１、Ｐ２、Ｐ３を通る円は、内周面６０ａによって形成される円であるとした。これは、３つの突出部（６１ａ〜６１ｃ）の位置を、断面が二等辺三角形である突出部（例えば図７参照）の、内周面６０ａにおける周方向の中央位置として規定していることによる。つまり、Ｐ２、Ｐ３のそれぞれを、例えば３つの突出部（６１ａ〜６１ｃ）の頂点（第二筒体７０の外周面７０ａと当接する部分、図６参照）として規定した場合、Ｐ１、Ｐ２、Ｐ３を通る円は、これら頂点を通る円として規定される。つまり、この場合は、３つの突出部（６１ａ〜６１ｃ）の頂点を通る円を用いて、第一の角θ１および第二の角θ２（図８参照）が特定される。
【０１３３】
また、上記の実施の形態において、発光素子１２は、ＳＭＤ型ＬＥＤ素子であるとしたが、これに限らない。例えば、ベアチップが基板上に直接実装されたＣＯＢ（Ｃｈｉｐ  Ｏｎ  Ｂｏａｒｄ）型の発光モジュールが、電球形ランプ１に採用されてもよい。
【０１３４】
この場合、例えば、複数のＬＥＤチップを一括または個別に封止する封止部材であって、上述の黄色蛍光体等の波長変換材を含む封止部材を配置することで、複数のＬＥＤチップからの光の波長を所定の波長に変換させてもよい。
【０１３５】
また、上記の実施の形態において、発光素子としてＬＥＤを例示したが、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を用いてもよい。
【０１３６】
その他、上記実施の形態および変形例に対して当業者が思いつく各種変形を施して得られる形態、または、本発明の趣旨を逸脱しない範囲で上記実施の形態および変形例における構成要素および機能を任意に組み合わせることで実現される形態も本発明に含まれる。
【符号の説明】
【０１３７】
１  電球形ランプ（照明用光源）
１０  発光モジュール
４０  駆動回路
５０  筐体
６０  第一筒体
６０ａ  内周面
６１ａ、７１ａ  第一突出部
６１ｂ、７１ｂ  第二突出部
６１ｃ、７１ｃ  第三突出部
７０  第二筒体
７０ａ  外周面
９０  口金
【図１】
0006414735.tif 000002
【図２】
0006414735.tif 000003
【図３】
0006414735.tif 000004
【図４Ａ】
0006414735.tif 000005
【図４Ｂ】
0006414735.tif 000006
【図５】
0006414735.tif 000007
【図６】
0006414735.tif 000008
【図７】
0006414735.tif 000009
【図８】
0006414735.tif 000010
【図９】
0006414735.tif 000011
【図１０】
0006414735.tif 000012
【図１１】
0006414735.tif 000013